【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
画像形成部により記録媒体に形成された画像を読み取った読取画像データを取得して画像異常の有無を判定し、画像異常があると判定した場合に、予め定められた設定に基づいて前記画像形成部による画像形成動作を制御する制御部を備え、
前記設定として、画像異常があると判定される記録媒体の連続枚数が設定されている場合、前記制御部は、前記設定された枚数分、連続して画像異常があると判定した場合に、前記画像形成動作を停止させる、画像検査装置。
【請求項２】
前記設定は、前記画像形成部による画像形成動作の継続または停止を含む、請求項１に記載の画像検査装置。
【請求項３】
前記設定を受け付けるための受付部をさらに備える、請求項１または２に記載の画像検査装置。
【請求項４】
前記受付部は、前記画像形成動作を停止させる、画像異常があると判定される記録媒体の連続枚数を受け付ける、請求項３に記載の画像検査装置。
【請求項５】
前記設定を受け付けるための受付部をさらに備え、
前記受付部は、前記制御部により画像異常があると判定された場合に前記画像形成部による画像形成動作を停止するかまたは継続するかの設定を受け付けると共に、前記画像形成動作を停止させる、画像異常があると判定される記録媒体の連続枚数を受け付け、
前記受付部において、前記画像形成動作を継続する設定を受け付けた場合であって前記連続枚数の設定を受け付けた場合において、画像異常があると判定される記録媒体が前記連続枚数分、連続して発生した場合に、前記制御部は、前記画像形成動作を停止する、請求項１に記載の画像検査装置。
【請求項６】
前記受付部は、表示部に表示された設定画面における入力に基づいて前記設定を受け付ける、請求項３〜５のいずれか１項に記載の画像検査装置。
【請求項７】
前記設定画面は、ジョブに関する情報を設定するための設定画面である、請求項６に記載の画像検査装置。
【請求項８】
前記制御部は、さらに、画像異常の種類を判定する、請求項１〜７のいずれか１項に記載の画像検査装置。
【請求項９】
前記画像異常の種類は、記録媒体上に形成された画像の色出力不足、画像中のスジ、しわ、画像の誤り、画像の欠陥、汚れ、色ずれ、ホタル、画像位置ズレのいずれかを含む、請求項８に記載の画像検査装置。
【請求項１０】
前記設定は、前記画像異常の種類ごとに設定される、請求項８または９に記載の画像検査装置。
【請求項１１】
前記画像異常があると判定される記録媒体の連続枚数が、前記画像異常の種類ごとに設定される、請求項１０に記載の画像検査装置。
【請求項１２】
前記設定は、ジョブごとに設定される、請求項１〜１１のいずれか１項に記載の画像検査装置。
【請求項１３】
前記制御部は、さらに、画像異常のレベルを判定する、請求項１〜１２のいずれか１項に記載の画像検査装置。
【請求項１４】
前記読取画像データに基づいて生成された履歴情報を保存する保存部をさらに備える、請求項１〜１３のいずれか１項に記載の画像検査装置。
【請求項１５】
前記保存部は、さらに、検出された画像異常に関する情報を保存する、請求項１４に記載の画像検査装置。
【請求項１６】
前記制御部は、前記読取画像データを正解画像と比較して画像異常の有無を判定する、請求項１〜１５のいずれか１項に記載の画像検査装置。
【請求項１７】
前記記録媒体に形成された画像を読み取った読取画像データを生成する画像読取部をさらに備える、請求項１〜１６のいずれか１項に記載の画像検査装置。
【請求項１８】
前記設定は、ジョブの出力開始前、出力開始時またはジョブの出力中に設定される、請求項１〜１７のいずれか１項に記載の画像検査装置。
【請求項１９】
前記画像形成部を備える、請求項１〜１８のいずれか１項に記載の画像検査装置。
【請求項２０】
記録媒体に画像を形成する画像形成部と、
前記記録媒体に形成された画像を読み取った読取画像データを生成する画像読取部と、
前記画像読取部により生成された読取画像データを取得して画像異常の有無を判定する判定部と、
前記判定部により画像異常があると判定された場合に、予め定められた設定に基づいて前記画像形成部による画像形成動作を制御する制御部を備え、
前記設定として、画像異常があると判定される記録媒体の連続枚数が設定されている場合、前記制御部は、前記設定された枚数分、連続して前記判定部により画像異常があると判定された場合に、前記画像形成動作を停止させる、画像形成システム。
【請求項２１】
前記画像形成システムは、前記画像形成部を備える画像形成装置と、前記画像読取部を備える画像読取装置とを含み、
前記判定部は、前記画像形成装置が備える、請求項２０に記載の画像形成システム。
【請求項２２】
前記画像形成システムは、前記画像形成部を備える画像形成装置と、前記画像読取部を備える画像読取装置とを含み、
前記判定部は、前記画像読取装置が備える、請求項２０に記載の画像形成システム。
【請求項２３】
前記画像形成システムは、前記画像形成部を備える画像形成装置と、前記画像読取部を備える画像読取装置とを含み、
前記制御部は、前記画像形成装置が備える、請求項２０〜２２のいずれか１項に記載の画像形成システム。
【請求項２４】
前記画像形成システムは、前記画像形成部を備える画像形成装置と、前記画像読取部を備える画像読取装置とを含み、
前記制御部は、前記画像読取装置が備える、請求項２０または２２に記載の画像形成システム。
【請求項２５】
前記画像形成システムは、前記画像形成部を備える画像形成装置と、前記画像読取部を備える画像読取装置と、前記画像形成装置と接続された外部装置とを含み、
前記判定部は、前記外部装置が備える、請求項２０に記載の画像形成システム。
【請求項２６】
前記画像形成システムは、前記画像形成部を備える画像形成装置と、前記画像読取部を備える画像読取装置と、前記画像形成装置と接続された外部装置とを含み、
前記制御部は、前記画像形成装置が備える、請求項２０または２５に記載の画像形成システム。
【請求項２７】
前記画像形成システムは、前記画像形成部を備える画像形成装置と、前記画像読取部を備える画像読取装置と、前記画像形成装置と接続された外部装置とを含み、
前記制御部は、前記外部装置が備える、請求項２０または２５に記載の画像形成システム。
【請求項２８】
前記設定は、前記画像形成部による画像形成動作の継続または停止を含む、請求項２０〜２７のいずれか１項に記載の画像形成システム。
【請求項２９】
前記設定を受け付けるための受付部をさらに備える、請求項２０〜２８のいずれか１項に記載の画像形成システム。
【請求項３０】
前記受付部は、前記画像形成動作を停止させる、画像異常があると判定される記録媒体の連続枚数を受け付ける、請求項２９に記載の画像形成システム。
【請求項３１】
前記設定を受け付けるための受付部をさらに備え、
前記受付部は、前記制御部により画像異常があると判定された場合に前記画像形成部による画像形成動作を停止するかまたは継続するかの設定を受け付けると共に、前記画像形成動作を停止させる、画像異常があると判定される記録媒体の連続枚数を受け付け、
前記受付部において、前記画像形成動作を継続する設定を受け付けた場合であって前記連続枚数の設定を受け付けた場合において、画像異常があると判定される記録媒体が前記連続枚数分、連続して発生した場合に、前記制御部は、前記画像形成動作を停止させる、請求項２０〜２７のいずれか１項に記載の画像形成システム。
【請求項３２】
前記受付部は、表示部に表示された設定画面における入力に基づいて前記設定を受け付ける、請求項２９〜３１のいずれか１項に記載の画像形成システム。
【請求項３３】
前記設定画面は、ジョブに関する情報を設定するための設定画面である、請求項３２に記載の画像形成システム。
【請求項３４】
前記制御部は、さらに、画像異常の種類を判定する、請求項２０〜３３のいずれか１項に記載の画像形成システム。
【請求項３５】
前記画像異常の種類は、記録媒体上に形成された画像の色出力不足、画像中のスジ、しわ、画像の誤り、画像の欠陥、汚れ、色ずれ、ホタル、画像位置ズレのいずれかを含む、請求項３４に記載の画像形成システム。
【請求項３６】
前記設定は、前記画像異常の種類ごとに設定される、請求項３４または３５に記載の画像形成システム。
【請求項３７】
前記画像異常があると判定される記録媒体の連続枚数が、前記画像異常の種類ごとに設定される、請求項３６に記載の画像形成システム。
【請求項３８】
前記設定は、ジョブごとに設定される、請求項２０〜３７のいずれか１項に記載の画像形成システム。
【請求項３９】
前記制御部は、さらに、画像異常のレベルを判定する、請求項２０〜３８のいずれか１項に記載の画像形成システム。
【請求項４０】
前記読取画像データに基づいて生成された履歴情報を保存する保存部をさらに備える、請求項２０〜３９のいずれか１項に記載の画像形成システム。
【請求項４１】
前記保存部は、さらに、検出された画像異常に関する情報を保存する、請求項４０に記載の画像形成システム。
【請求項４２】
前記制御部は、前記読取画像データを正解画像と比較して画像異常の有無を判定する、請求項２０〜４１のいずれか１項に記載の画像形成システム。
【請求項４３】
前記設定は、ジョブの出力開始前、出力開始時またはジョブの出力中に設定される、請求項２０〜４２のいずれか１項に記載の画像形成システム。
【請求項４４】
画像形成システムで実行される画像検査方法であって、
画像形成部により記録媒体に形成された画像を読み取った読取画像データを取得して画像異常の有無を判定するステップと、
前記判定するステップにおいて画像異常があると判定された場合に、予め定められた設定に基づいて前記画像形成部による画像形成動作を制御するステップと、
を有し、
前記制御するステップは、前記設定として、画像異常があると判定される記録媒体の連続枚数が設定されている場合、前記設定された枚数分、連続して画像異常があると判定された場合に、前記画像形成動作を停止させる、画像検査方法。
【請求項４５】
前記設定は、前記画像形成部による画像形成動作の継続または停止を含む、請求項４４に記載の画像検査方法。
【請求項４６】
前記設定を受け付けるステップをさらに有する、請求項４４または４５に記載の画像検査方法。
【請求項４７】
前記受け付けるステップは、前記画像形成動作を停止させる、画像異常があると判定される記録媒体の連続枚数を受け付ける、請求項４６に記載の画像検査方法。
【請求項４８】
前記設定を受け付けるステップをさらに有し、
前記受け付けるステップは、画像異常があると判定された場合に前記画像形成部による画像形成動作を停止するかまたは継続するかの設定を受け付けると共に、前記画像形成動作を停止させる、画像異常があると判定される記録媒体の連続枚数を受け付け、
前記制御するステップは、前記受け付けるステップにおいて前記画像形成動作を継続する設定を受け付けた場合であって前記連続枚数の設定を受け付けた場合において、画像異常があると判定される記録媒体が前記連続枚数分、連続して発生した場合に、前記画像形成動作を停止させる、請求項４４に記載の画像検査方法。
【請求項４９】
前記受け付けるステップは、表示部に表示された設定画面における入力に基づいて前記設定を受け付ける、請求項４６〜４８のいずれか１項に記載の画像検査方法。
【請求項５０】
前記設定画面は、ジョブに関する情報を設定するための設定画面である、請求項４９に記載の画像検査方法。
【請求項５１】
前記判定するステップは、さらに、画像異常の種類を判定する、請求項４４〜５０のいずれか１項に記載の画像検査方法。
【請求項５２】
前記画像異常の種類は、記録媒体上に形成された画像の色出力不足、画像中のスジ、しわ、画像の誤り、画像の欠陥、汚れ、色ずれ、ホタル、画像位置ズレのいずれかを含む、請求項５１に記載の画像検査方法。
【請求項５３】
前記設定は、前記画像異常の種類ごとに設定される、請求項５１または５２に記載の画像検査方法。
【請求項５４】
前記画像異常があると判定される記録媒体の連続枚数が、前記画像異常の種類ごとに設定される、請求項５３に記載の画像検査方法。
【請求項５５】
前記設定は、ジョブごとに設定される、請求項４４〜５４のいずれか１項に記載の画像検査方法。
【請求項５６】
前記判定するステップは、さらに、画像異常のレベルを判定する、請求項４４〜５５のいずれか１項に記載の画像検査方法。
【請求項５７】
前記読取画像データに基づいて生成された履歴情報を保存部に保存するステップをさらに有する、請求項４４〜５６のいずれか１項に記載の画像検査方法。
【請求項５８】
前記保存するステップは、さらに、検出された画像異常に関する情報を保存する、請求項５７に記載の画像検査方法。
【請求項５９】
前記判定するステップは、前記読取画像データを正解画像と比較して画像異常の有無を判定する、請求項４４〜５８のいずれか１項に記載の画像検査方法。
【請求項６０】
前記設定は、ジョブの出力開始前、出力開始時またはジョブの出力中に設定される、請求項４４〜５９のいずれか１項に記載の画像検査方法。
【請求項６１】
画像検査装置のコンピューターで実行されるプログラムであって、
画像形成部により記録媒体に形成された画像を読み取った読取画像データを取得して画像異常の有無を判定するステップと、
前記判定するステップにおいて画像異常があると判定された場合に、予め定められた設定に基づいて前記画像形成部による画像形成動作を制御するステップと、
を前記コンピューターに実行させ、
前記制御するステップは、前記設定として、画像異常があると判定される記録媒体の連続枚数が設定されている場合、前記設定された枚数分、連続して画像異常があると判定された場合に、前記画像形成動作を停止させる、プログラム。
【請求項６２】
画像形成部により記録媒体に形成された画像を読み取った読取画像データに基づいて画像異常があると判定された場合に、予め定められた設定に基づいて前記画像形成部による画像形成動作を制御する制御部を備え、
前記設定として、画像異常があると判定される記録媒体の連続枚数が設定されている場合、前記制御部は、前記設定された枚数分、連続して画像異常があると判定された場合に、前記画像形成動作を停止させる、制御装置。
【請求項６３】
前記制御装置は、前記画像形成部を備える画像形成装置である、請求項６２に記載の制御装置。
【請求項６４】
記録媒体に画像を形成する画像形成部を制御する制御装置のコンピューターで実行されるプログラムであって、
前記画像形成部により記録媒体に形成された画像を読み取った読取画像データに基づいて画像異常があると判定された場合に、予め定められた設定に基づいて前記画像形成部による画像形成動作を制御するステップを前記コンピューターに実行させ、
前記制御するステップは、前記設定として、画像異常があると判定される記録媒体の連続枚数が設定されている場合、前記設定された枚数分、連続して画像異常があると判定された場合に、前記画像形成動作を停止させる、プログラム。
【手続補正２】
【補正対象書類名】明細書
【補正対象項目名】発明の名称
【補正方法】変更
【補正の内容】
【発明の名称】画像検査装置、画像形成システム、画像検査方法、制御装置およびプログラム
【手続補正３】
【補正対象書類名】明細書
【補正対象項目名】０００１
【補正方法】変更
【補正の内容】
【０００１】
この発明は、記録媒体の画像を読み取った読取結果によって画像の良否判定を行うことができる画像検査装置、画像形成システム、画像検査方法、制御装置およびプログラムに関するものである。
【手続補正４】
【補正対象書類名】明細書
【補正対象項目名】０００７
【補正方法】変更
【補正の内容】
【０００７】
本発明は、上記事情を背景としてなされたものであり、条件に応じて画像の異常ありの場合にユーザーが望むような適切な動作を行うことを可能にする画像検査装置、画像形成システム、画像検査方法、制御装置およびプログラムを提供することを可能にする。
【手続補正５】
【補正対象書類名】明細書
【補正対象項目名】０００８
【補正方法】変更
【補正の内容】
【０００８】
上記課題を解決するため、本願発明の画像検査装置のうち第１の形態は、画像形成部により記録媒体に形成された画像を読み取った読取画像データを取得して画像異常の有無を判定し、画像異常があると判定した場合に、予め定められた設定に基づいて前記画像形成部による画像形成動作を制御する制御部を備え、
前記設定として、画像異常があると判定される記録媒体の連続枚数が設定されている場合、前記制御部は、前記設定された枚数分、連続して画像異常があると判定した場合に、前記画像形成動作を停止させる、。
他の形態の画像検査装置の発明は、前記形態の本発明において、前記設定は、前記画像形成部による画像形成動作の継続または停止を含む。
他の形態の画像検査装置の発明は、前記形態の本発明において、前記設定を受け付けるための受付部をさらに備える。
他の形態の画像検査装置の発明は、前記形態の本発明において、前記受付部は、前記画像形成動作を停止させる、画像異常があると判定される記録媒体の連続枚数を受け付ける。
他の形態の画像形成装置の発明は、前記形態の本発明において、前記設定を受け付けるための受付部をさらに備え、
前記受付部は、前記制御部により画像異常があると判定された場合に前記画像形成部による画像形成動作を停止するかまたは継続するかの設定を受け付けると共に、前記画像形成動作を停止させる、画像異常があると判定される記録媒体の連続枚数を受け付け、
前記受付部において、前記画像形成動作を継続する設定を受け付けた場合であって前記連続枚数の設定を受け付けた場合において、画像異常があると判定される記録媒体が前記連続枚数分、連続して発生した場合に、前記制御部は、前記画像形成動作を停止する。
他の形態の画像検査装置の発明は、前記形態の本発明において、前記受付部は、表示部に表示された設定画面における入力に基づいて前記設定を受け付ける。
他の形態の画像検査装置の発明は、前記形態の本発明において、前記設定画面は、ジョブに関する情報を設定するための設定画面である。
他の形態の画像検査装置の発明は、前記形態の本発明において、前記制御部は、さらに、画像異常の種類を判定する。
他の形態の画像検査装置の発明は、前記形態の本発明において、前記画像異常の種類は、記録媒体上に形成された画像の色出力不足、画像中のスジ、しわ、画像の誤り、画像の欠陥、汚れ、色ずれ、ホタル、画像位置ズレのいずれかを含む。
他の形態の画像検査装置の発明は、前記形態の本発明において、前記設定は、前記画像異常の種類ごとに設定される。
他の形態の画像検査装置の発明は、前記形態の本発明において、前記画像異常があると判定される記録媒体の連続枚数が、前記画像異常の種類ごとに設定される。
他の形態の画像検査装置の発明は、前記形態の本発明において、前記設定は、ジョブごとに設定される。
他の形態の画像検査装置の発明は、前記形態の本発明において、前記制御部は、さらに、画像異常のレベルを判定する。
他の形態の画像検査装置の発明は、前記形態の本発明において、前記読取画像データに基づいて生成された履歴情報を保存する保存部をさらに備える。
他の形態の画像検査装置の発明は、前記形態の本発明において、前記保存部は、さらに、検出された画像異常に関する情報を保存する。
他の形態の画像検査装置の発明は、前記形態の本発明において、前記制御部は、前記読取画像データを正解画像と比較して画像異常の有無を判定する。
他の形態の画像検査装置の発明は、前記形態の本発明において、前記記録媒体に形成された画像を読み取った読取画像データを生成する画像読取部をさらに備える。
他の形態の画像検査装置の発明は、前記形態の本発明において、前記設定は、ジョブの出力開始前、出力開始時またはジョブの出力中に設定される。
他の形態の画像検査装置の発明は、前記形態の本発明において、前記画像形成部を備える。
【手続補正６】
【補正対象書類名】明細書
【補正対象項目名】００２６
【補正方法】変更
【補正の内容】
【００２６】
上記課題を解決するため本発明の画像形成システムのうち第１の形態は、
記録媒体に画像を形成する画像形成部と、
前記記録媒体に形成された画像を読み取った読取画像データを生成する画像読取部と、
前記画像読取部により生成された読取画像データを取得して画像異常の有無を判定する判定部と、
前記判定部により画像異常があると判定された場合に、予め定められた設定に基づいて前記画像形成部による画像形成動作を制御する制御部を備え、
前記設定として、画像異常があると判定される記録媒体の連続枚数が設定されている場合、前記制御部は、前記設定された枚数分、連続して前記判定部により画像異常があると判定された場合に、前記画像形成動作を停止させる。
他の形態の画像形成システムの発明は、前記形態の本発明において、前記画像形成システムは、前記画像形成部を備える画像形成装置と、前記画像読取部を備える画像読取装置とを含み、
前記判定部は、前記画像形成装置が備える。
他の形態の画像形成システムの発明は、前記形態の本発明において、前記画像形成システムは、前記画像形成部を備える画像形成装置と、前記画像読取部を備える画像読取装置とを含み、
前記判定部は、前記画像読取装置が備える。
他の形態の画像形成システムの発明は、前記形態の本発明において、前記画像形成システムは、前記画像形成部を備える画像形成装置と、前記画像読取部を備える画像読取装置とを含み、
前記制御部は、前記画像形成装置が備える。
他の形態の画像形成システムの発明は、前記形態の本発明において、前記画像形成システムは、前記画像形成部を備える画像形成装置と、前記画像読取部を備える画像読取装置とを含み、
前記制御部は、前記画像読取装置が備える。
他の形態の画像形成システムの発明は、前記形態の本発明において、前記画像形成システムは、前記画像形成部を備える画像形成装置と、前記画像読取部を備える画像読取装置と、前記画像形成装置と接続された外部装置とを含み、
前記判定部は、前記外部装置が備える。
他の形態の画像形成システムの発明は、前記形態の本発明において、前記画像形成システムは、前記画像形成部を備える画像形成装置と、前記画像読取部を備える画像読取装置と、前記画像形成装置と接続された外部装置とを含み、
前記制御部は、前記画像形成装置が備える。
他の形態の画像形成システムの発明は、前記形態の本発明において、前記画像形成システムは、前記画像形成部を備える画像形成装置と、前記画像読取部を備える画像読取装置と、前記画像形成装置と接続された外部装置とを含み、
前記制御部は、前記外部装置が備える。
他の形態の画像形成システムの発明は、前記形態の本発明において、前記設定は、前記画像形成部による画像形成動作の継続または停止を含む。
他の形態の画像形成システムの発明は、前記形態の本発明において、前記設定を受け付けるための受付部をさらに備える。
他の形態の画像形成システムの発明は、前記形態の本発明において、前記受付部は、前記画像形成動作を停止させる、画像異常があると判定される記録媒体の連続枚数を受け付ける。
他の形態の画像形成システムの発明は、前記形態の本発明において、前記設定を受け付けるための受付部をさらに備え、
前記受付部は、前記制御部により画像異常があると判定された場合に前記画像形成部による画像形成動作を停止するかまたは継続するかの設定を受け付けると共に、前記画像形成動作を停止させる、画像異常があると判定される記録媒体の連続枚数を受け付け、
前記受付部において、前記画像形成動作を継続する設定を受け付けた場合であって前記連続枚数の設定を受け付けた場合において、画像異常があると判定される記録媒体が前記連続枚数分、連続して発生した場合に、前記制御部は、前記画像形成動作を停止させる。
他の形態の画像形成システムの発明は、前記形態の本発明において、前記受付部は、表示部に表示された設定画面における入力に基づいて前記設定を受け付ける。
他の形態の画像形成システムの発明は、前記形態の本発明において、前記設定画面は、ジョブに関する情報を設定するための設定画面である。
他の形態の画像形成システムの発明は、前記形態の本発明において、前記制御部は、さらに、画像異常の種類を判定する。
他の形態の画像形成システムの発明は、前記形態の本発明において、前記画像異常の種類は、記録媒体上に形成された画像の色出力不足、画像中のスジ、しわ、画像の誤り、画像の欠陥、汚れ、色ずれ、ホタル、画像位置ズレのいずれかを含む。
他の形態の画像形成システムの発明は、前記形態の本発明において、前記設定は、前記画像異常の種類ごとに設定される。
他の形態の画像形成システムの発明は、前記形態の本発明において、前記画像異常があると判定される記録媒体の連続枚数が、前記画像異常の種類ごとに設定される。
他の形態の画像形成システムの発明は、前記形態の本発明において、前記設定は、ジョブごとに設定される。
他の形態の画像形成システムの発明は、前記形態の本発明において、前記制御部は、さらに、画像異常のレベルを判定する。
他の形態の画像形成システムの発明は、前記形態の本発明において、前記読取画像データに基づいて生成された履歴情報を保存する保存部をさらに備える。
他の形態の画像形成システムの発明は、前記形態の本発明において、前記保存部は、さらに、検出された画像異常に関する情報を保存する。
他の形態の画像形成システムの発明は、前記形態の本発明において、前記制御部は、前記読取画像データを正解画像と比較して画像異常の有無を判定する。
他の形態の画像形成システムの発明は、前記形態の本発明において、前記設定は、ジョブの出力開始前、出力開始時またはジョブの出力中に設定される。
上記課題を解決するため本発明の画像検査方法のうち第１の形態は、
画像形成システムで実行される画像検査方法であって、
画像形成部により記録媒体に形成された画像を読み取った読取画像データを取得して画像異常の有無を判定するステップと、
前記判定するステップにおいて画像異常があると判定された場合に、予め定められた設定に基づいて前記画像形成部による画像形成動作を制御するステップと、
を有し、
前記制御するステップは、前記設定として、画像異常があると判定される記録媒体の連続枚数が設定されている場合、前記設定された枚数分、連続して画像異常があると判定した場合に、前記画像形成動作を停止させる。
他の形態の画像検査方法の発明は、他の形態の本発明において、
前記設定は、前記画像形成部による画像形成動作の継続または停止を含む。
他の形態の画像検査方法の発明は、他の形態の本発明において、前記設定を受け付けるステップをさらに有する。
他の形態の画像検査方法の発明は、他の形態の本発明において、
前記受け付けるステップは、前記画像形成動作を停止させる、画像異常があると判定される記録媒体の連続枚数を受け付ける。
他の形態の画像検査方法の発明は、他の形態の本発明において、
前記設定を受け付けるステップをさらに有し、
前記受け付けるステップは、画像異常があると判定された場合に前記画像形成部による画像形成動作を停止するかまたは継続するかの設定を受け付けると共に、前記画像形成動作を停止させる、画像異常があると判定される記録媒体の連続枚数を受け付け、
前記制御するステップは、前記受け付けるステップにおいて前記画像形成動作を継続する設定を受け付けた場合であって前記連続枚数の設定を受け付けた場合において、画像異常があると判定される記録媒体が前記連続枚数分、連続して発生した場合に、前記画像形成動作を停止させる。
他の形態の画像検査方法の発明は、他の形態の本発明において、
前記受け付けるステップは、表示部に表示された設定画面における入力に基づいて前記設定を受け付ける。
他の形態の画像検査方法の発明は、他の形態の本発明において、
前記設定画面は、ジョブに関する情報を設定するための設定画面である。
他の形態の画像検査方法の発明は、他の形態の本発明において、
前記判定するステップは、さらに、画像異常の種類を判定する。
他の形態の画像検査方法の発明は、他の形態の本発明において、
前記画像異常の種類は、記録媒体上に形成された画像の色出力不足、画像中のスジ、しわ、画像の誤り、画像の欠陥、汚れ、色ずれ、ホタル、画像位置ズレのいずれかを含む。
他の形態の画像検査方法の発明は、他の形態の本発明において、
前記設定は、前記画像異常の種類ごとに設定される。
他の形態の画像検査方法の発明は、他の形態の本発明において、
前記画像異常があると判定される記録媒体の連続枚数が、前記画像異常の種類ごとに設定される。
他の形態の画像検査方法の発明は、他の形態の本発明において、
前記設定は、ジョブごとに設定される。
他の形態の画像検査方法の発明は、他の形態の本発明において、
前記判定するステップは、さらに、画像異常のレベルを判定する。
他の形態の画像検査方法の発明は、他の形態の本発明において、
前記読取画像データに基づいて生成された履歴情報を保存部に保存するステップをさらに有する。
他の形態の画像検査方法の発明は、他の形態の本発明において、
前記保存するステップは、さらに、検出された画像異常に関する情報を保存する。
他の形態の画像検査方法の発明は、他の形態の本発明において、
前記判定するステップは、前記読取画像データを正解画像と比較して画像異常の有無を判定する。
他の形態の画像検査方法の発明は、他の形態の本発明において、
前記設定は、ジョブの出力開始前、出力開始時またはジョブの出力中に設定される。
【手続補正７】
【補正対象書類名】明細書
【補正対象項目名】００２７
【補正方法】変更
【補正の内容】
【００２７】
上記課題を解決するため本発明のプログラムのうち第１の形態は、画像検査装置のコンピューターで実行されるプログラムであって、
画像形成部により記録媒体に形成された画像を読み取った読取画像データを取得して画像異常の有無を判定するステップと、
前記判定するステップにおいて画像異常があると判定された場合に、予め定められた設定に基づいて前記画像形成部による画像形成動作を制御するステップと、
を前記コンピューターに実行させ、
前記制御するステップは、前記設定として、画像異常があると判定される記録媒体の連続枚数が設定されている場合、前記設定された枚数分、連続して画像異常があると判定した場合に、前記画像形成動作を停止させる。
本発明の制御装置のうち、第１の形態は、画像形成部により記録媒体に形成された画像を読み取った読取画像データに基づいて画像異常があると判定された場合に、予め定められた設定に基づいて前記画像形成部による画像形成動作を制御する制御部を備え、
前記設定として、画像異常があると判定される記録媒体の連続枚数が設定されている場合、前記制御部は、前記設定された枚数分、連続して画像異常があると判定された場合に、前記画像形成動作を停止させる。
他の形態の制御装置の発明は、他の形態の本発明において、
前記制御装置は、前記画像形成部を備える画像形成装置である。
本発明の他の形態のプログラムの発明は、
記録媒体に画像を形成する画像形成部を制御する制御装置のコンピューターで実行されるプログラムであって、
前記画像形成部により記録媒体に形成された画像を読み取った読取画像データに基づいて画像異常があると判定された場合に、予め定められた設定に基づいて前記画像形成部による画像形成動作を制御するステップを前記コンピューターに実行させ、
前記制御するステップは、前記設定として、画像異常があると判定される記録媒体の連続枚数が設定されている場合、前記設定された枚数分、連続して画像異常があると判定された場合に、前記画像形成動作を停止させる。